(57)【要約】    【課題】  簡潔、コンパクトな反応器で平衡転化率を超える転化率下に、水素及び酸化炭素を原料ガスとしてメタノール合成を遂行することができる反応プロセスを提供すること。    【解決手段】  水素と酸化炭素を主成分とする原料ガスを、触媒の存在下に反応させてメタノールを合成する方法であって、触媒層内に精製メタノールの蒸気圧の露点以下の冷却面を存在せしめ、該冷却面においてメタノールを液化、滴下させて反応系外に抜き出し、平衡転化率を超える転化率下にメタノール合成を遂行する。【選択図】  図１
2005298413.tif 000002
【特許請求の範囲】
【請求項１】
水素と酸化炭素を主成分とする原料ガスを、触媒の存在下に反応させてメタノールを合成する方法であって、触媒層内に生成メタノールの蒸気圧の露点以下の冷却面を存在せしめ、該冷却面においてメタノールを液化させて反応系外に抜き出し、平衡転化率を超える転化率の下でメタノール合成を遂行せしめるようにしたことを特徴とするメタノールの高効率合成法。
【請求項２】
水素と酸化炭素を主成分とする原料ガスを、触媒の存在下に反応させてメタノールを合成する方法であって、反応容器の内部に一又は複数の多孔円筒を配置し、該多孔円筒外周面と前記反応容器内周面間に触媒充填部を形成するとともに、前記多孔円筒内部に前記触媒充填部で合成されたメタノールの蒸気圧の露点以下の冷却面を有する冷却体を存在せしめて、前記冷却面において生成メタノールを液化、滴下させて該液状メタノールを反応系外に抜き出すようにしたことを特徴とするメタノールの高効率合成法。
【請求項３】
水素と酸化炭素を主成分とする原料ガスを、触媒の存在下に反応させてメタノールを合成するメタノール製造装置であって、反応容器と、該反応容器内に一又は複数配置される多孔円筒と、前記反応容器内周面および多孔円筒外周面間に形成される触媒重点部と、前記多孔円筒内部に配設される、前記触媒充填部における生成メタノールの蒸気圧の露点以下の冷却面をもつとともに冷媒流通手段を有する冷却体と、該冷却体における冷却面において液化、滴下するメタノールを反応系外に抜き出し回収するメタノール回収部とを有することを特徴とするメタノール製造装置。
【発明の詳細な説明】
【技術分野】
【０００１】
本発明は、平衡転化率を超える転化率で、水素および酸化炭素を主成分とする原料ガスからメタノールを合成する方法及びそのための装置に関する。
【背景技術】
【０００２】
メタノール（メチルアルコール）は、燃料として、また脂肪、樹脂、ワニス等の溶媒として、さらにホルマリンの製造原料、メチル化剤、エチルアルコールの変性などに用いられ、工業的には、水性ガスを原料として２００℃〜３００℃の温度域で、５ＭＰａ〜１０ＭＰａといった高圧下に、銅・亜鉛を主成分とする触媒上で反応させて合成される。水素と一酸化炭素を主成分とする原料ガスからメタノールを合成するときの主反応は、次の通りである。
【０００３】
【化１】
2005298413.tif 000003
【０００４】
メタノール合成の主反応は分子数減少反応であり、かつ高発熱反応である。メタノール合成の主反応である上記化１式の反応平衡におけるメタノール化率、温度、圧力の関係を図５に示す。図５から明らかなように、メタノール合成反応は低温、高圧であるほど有利であるが、実装置においては、経済的な観点から合成条件として、２００℃〜３００℃の温度域、５ＭＰａ〜１０ＭＰａの圧力域が採用されている。水素および一酸化炭素を主成分とする原料ガス中には二酸化炭素も含まれており、下記逆シフト反応により一酸化炭素に転化し、さらに化１式の主反応によってメタノールが合成される。
【０００５】
【化２】
2005298413.tif 000004
【０００６】
また、二酸化炭素は下記反応によって直接メタノールに転化される。
【０００７】
【化３】
2005298413.tif 000005
【０００８】
メタノール合成反応は大きな発熱反応である処から、熱に弱い特性をもつ銅系触媒を有効に機能させるために、反応触媒層の温度制御がきわめて重要である。而して、従来、反応容器内に形成される触媒充填層内に二重管構造の冷却管を多数配設して、冷却管内管外壁面と外管内壁面との間の環状空間に冷却水を流通・上昇せしめて外管内壁面で熱交換し、水と水蒸気の混合流体を内管上端開口から下降せしめて下部に設けられているチャンバに集め、水蒸気ノズル排出口から流出せしめるようにして触媒層を所望の温度に維持するよう構成したメタノール合成反応器が既知である（たとえば、特許文献１参照）。
【特許文献１】特開昭６１−１３３１３６号公報
【発明の開示】
【発明が解決しようとする課題】
【０００９】
しかしながら、従来技術において、発熱反応であるメタノール合成によって生じた熱は種々の手段によって系外に取り出されるが、何れも生成するメタノールの蒸気圧の露点以上の冷却温度である。このように従来技術においては、冷却温度が生成するメタノールの蒸気圧の露点以上であるために、平衡転化率を超える転化率の下でのメタノール合成が不可能であり、また転化率が平衡値に近づくと原料濃度が低下するために反応速度が低下し、反応器の効率が著しく低下する問題がある。
【００１０】
本発明は、簡潔、コンパクトな反応器で平衡転化率を超える転化率下に、水素および酸化炭素を原料としてメタノール合成を遂行することができる反応プロセスを提供することを目的とする。
【課題を解決するための手段】
【００１１】
上記課題を解決するための請求項１に記載の発明は、水素と酸化炭素を主成分とする原料ガスを、触媒の存在下に反応させてメタノールを合成する方法であって、触媒層内に生成メタノールの蒸気圧の露点以下の冷却面を存在せしめ、該冷却面においてメタノールを液化、滴下させて反応系外に抜き出し、平衡転化率を超える転化率下にメタノール合成を遂行せしめるようにしたメタノールの高効率合成法である。
【００１２】
請求項２に記載の発明は、水素と酸化炭素を主成分とする原料ガスを、触媒の存在下に反応させてメタノールを合成する方法であって、反応容器の内部に一又は複数の多孔円筒を配置し、該多孔円筒外周面と前記反応容器の内周面間に触媒充填部を形成するとともに、前記多孔円筒内部に前記触媒充填部で合成されたメタノールの蒸気圧の露点以下の冷却面を有する冷却体を存在せしめて、前記冷却面において生成メタノールを液化、滴下させて該液状メタノールを反応系外に抜き出すようにしたメタノールの高効率合成法である。
【００１３】
請求項３に記載の発明は、水素と酸化炭素を主成分とする原料ガスを、触媒の存在下に反応させてメタノールを合成するメタノール製造装置であって、反応容器と、該反応容器内に一又は複数配置される多孔円筒と、前記反応容器内周面および多孔円筒外周面間に形成される触媒重点部と、前記多孔円筒内部に配設される、前記触媒重点部における生成メタノールの蒸気圧の露点以下の冷却面をもつとともに冷媒流通手段を有する冷却体と、該冷却体における冷却面において液化、滴下するメタノールを反応系外に抜き出し回収するメタノール回収部とを有するメタノール製造装置である。
【発明の効果】
【００１４】
本発明によれば、簡潔、コンパクトな反応器で平衡転化率を超える転化率下でのメタノール合成を１パスで達成できる。また、反応系において、未反応ガスをリサイクルするシステムが不要となるため、反応装置が著しく単純化される。さらに、小型の装置であっても高い生産性を持ち得る。また、生成メタノールの冷却を水で行えば５０℃〜８０℃の温水を得ることができる。
【発明を実施するための最良の形態】
【００１５】
以下、本発明をその好ましい実施形態に則して説明する。
本発明は、水素および酸化炭素（ＣＯ、ＣＯ２）を原料ガスとして、平衡転化率を超える転化率でメタノール合成を行う反応プロセスである。本発明は、触媒層中にそこでのメタノール蒸気圧の露点以下の冷却面を存在させて、この冷却面において生成メタノールを液化させ、この液相のメタノールを反応系外に抜き出すことによって濃度勾配場を生起・維持せしめ、而して、原料濃度を高い水準に維持して反応速度の低下を抑えるようにした点によって特徴づけられる。即ち、本発明においては、反応系内に生成メタノールが凝縮する温度場を設けて生成メタノールを液化・滴下させて系外に抜き出すことによって、反応サイトにメタノール濃度勾配場を生起・維持せしめている点に特徴があり、それによって反応系において、原料濃度が低下する因子を除去し続けるようにしている。
【実施例１】
【００１６】
以下、一実施例に基づいて、本発明をさらに詳細に説明する。図１に、本発明を実施するときの反応装置の一例を示す。図１において、１は反応容器であって、たとえば１５ＭＰａの圧力に耐え得る金属製たとえばステンレス鋼製の容器である。反応容器１は、この実施例においては図１に示すように、円筒形であり、その横断面中心部に反応容器１と軸心を共有する如く多孔円筒２が配設される。多孔円筒２にはその周壁に多数の孔２２が穿設されており、気体はその孔２２を通して多孔円筒２壁面を流通できるが、触媒充填層３における触媒は通過できない寸法（直径）とされている。触媒充填層３は、反応容器１内壁面と多孔円筒２外周面間の環状空間であって、トレイ２３の上部に形成されている。
【００１７】
４は冷却体であり、この実施例においては、銅製或はステンレス鋼（ＳＵＳ３１６）製の冷却管である。冷却体（冷却管）４は多孔円筒内部に配置され、冷却面積を大ならしめるべく螺旋状に形成されている。必要に応じて、冷却面積を拡大するためにフィンを冷却管外周面に形成してもよい。冷却体（冷却管）４内部には、この実施例においては、水が冷媒として流通せしめられる。冷却水（常温）は、反応容器１上部の冷却水入口１０から導入され、触媒充填層３において生成したメタノールと冷却体（冷却管）４内壁面において熱交換して昇温し、６０℃〜８０℃の温水となって冷却水出口１１から排出される。この熱交換によって生成メタノールは液化され滴下して反応容器１外に抜き出される。
【００１８】
５はヒータであって、触媒充填層３における触媒の温度を２２０℃〜２４０℃といった温度域まで昇温させるときに用いる。６はフランジであり、反応容器１を気密に保つべくフランジ締結用ボルト孔７にボルトを挿通しナットで緊締する。
１９はシール材である。
【００１９】
８は原料ガス導入口であり、ここから水素および酸化炭素を主成分とする原料ガスが反応容器１内上部空間に導入される。９は生成物導出口であって、触媒充填層３で生成し冷却体表面で液化され滴下した液状メタノールおよび未反応ガスからなる気液混合流体が導出される。この気液混合流体はメタノール回収部（気液分離・貯留槽）１２内に導入される。メタノール回収部（気液分離・貯留槽）１２には、その外周部に冷却ジャケット１８が付設されており、その下部の冷却水入口１５から冷却水が導入され、上部の冷却水出口１６から排出される。メタノール回収部（気液分離・貯留槽）１２内の液状メタノール１３は、液状メタノール抽出口１７から抽出される。１４は未反応ガスと気相メタノールの混合気体出口である。
【実施例２】
【００２０】
図１に示す反応装置を用いて水素および酸化炭素を主成分とする原料ガスからメタノールを合成した。反応容器（外径：３７ｍｍ、内径：２５ｍｍ、高さ：１６０ｍｍ）１内に触媒充填層３を形成し内部のガスを合成（原料）ガスに置換した後、常法に従って触媒を活性化し反応を開始した。触媒として市販のメタノール合成触媒（ＣｕＯ−ＺｎＯ−Ａｌ２Ｏ３）：１０ｇを用いた。反応条件は、次の通りである。
合成（原料）ガス流量：２００ｍｌ／分、圧力：１０ａｔｍ〜４０ａｔｍ（１ＭＰａ〜４ＭＰａ）、温度：２２０℃および２４０℃、合成（原料）ガスの組成：Ａｒ＝２.９８％、ＣＯ＝３１.０９％、ＣＯ２＝５.０５％、Ｈ２＝残部
冷却体（冷却管）４における冷却水入口温度＝３０℃であり、出口温度は冷却水流量（１２５ｍｌ／分程度）により６０℃〜８０℃の間で変動した。生成物導出口９の気相メタノールをガスクロマトグラフィー分析によってＣＯ、ＣＯ２の転化率を算出した。２２０℃で行った反応における結果を、図２に示す。図２において、横軸は圧力（ａｔｍ）、縦軸はＣＯ転化率である。圧力：４０ａｔｍ（４ＭＰａ）で、冷却体（冷却管）４に冷却水を通した反応におけるメタノールの純度は９６.９％であった。
【００２１】
図２から明らかなように、冷却体（冷却管）４に冷却水を通さない反応（■印）は平衡反応に満たないが、冷却体（冷却管）４に冷却水を通した反応（◆印）は、２５ａｔｍ（２.５ＭＰａ）以上の圧力域での反応で平衡転化率を超え、４０ａｔｍ（４ＭＰａ）の圧力下の反応では、ＣＯ転化率が７５％に達している。
【００２２】
図３に、２２０℃で行った反応での生成物導出口９におけるＣＯ２とＡｒの比を示す。図３において、横軸は圧力（ａｔｍ）、縦軸は生成物導出口９におけるＣＯ２とＡｒの比である。図３から明らかなように、冷却体（冷却管）４に冷却水を通さない反応（■印）は平衡反応とほぼ同程度であるが、冷却体（冷却管）４に冷却水を通した反応（◆印）は、圧力：２０ａｔｍ（２ＭＰａ）以上の圧力域で、ＣＯ２の比率が大きく減少しており、ＣＯ２の転化率が向上していることが分かる。
【実施例３】
【００２３】
合成（原料）ガス流量：２００ｍｌ／分、圧力：１０ａｔｍ〜４０ａｔｍ（１ＭＰａ〜４ＭＰａ）、温度：２２０℃、冷却体（冷却管）４における冷却水流量：１２５ｍｌ／分、合成（原料）ガスの組成は実施例２におけると同一組成である。この実施例においては、冷却体（冷却管）４の材質を銅およびＳＵＳ３１６としたものについて、合成（原料）ガスからのメタノール合成を行った。その結果を図４に示す。図４に示すように、冷却体（冷却管）４の材質が銅である場合よりもＳＵＳ３１６である場合の方が、高い転化率下にメタノールの合成反応が進行している。
【産業上の利用可能性】
【００２４】
本発明は、天然ガスの改質或は石炭やバイオマスをガス化して得られるガスを原料としてメタノールを製造するプロセスとして好適に用いることができる。また、原料である合成ガスの５０％〜７０％をメタノールとし、残余の未反応ガスを燃料とする複合システムを構築するときのメタノール合成プロセスとして利用可能である。さらに、小、中規模のメタノール製造プラントとして好適に用いることができる。
【図面の簡単な説明】
【００２５】
【図１】本発明のメタノール製造装置を示す模式図
【図２】本発明の高効率メタノール合成法による場合と、冷却によるメタノールの液化を行わない従来プロセスによる場合のＣＯ転化率を、平衡反応の場合と併せ対比して示すグラフ
【図３】生成物導出口におけるＣＯ２とＡｒの比を、本発明の高効率メタノール合成法による場合と、冷却によるメタノールの液化を行わない従来プロセスによる場合のＣＯ転化率を、平衡反応の場合と併せ対比して示すグラフ
【図４】本発明において、冷却体（冷却管）の材質を銅およびＳＵＳ３１６としたときのＣＯ転化率を、平衡反応の場合と併せ対比して示すグラフ
【図５】メタノール合成での反応平衡におけるメタノール化率、温度、圧力の関係を示すグラフ
【符号の説明】
【００２６】
１  反応容器
２  多孔円筒
３  触媒充填層
４  冷却体（冷却管）
５  ヒータ
６  フランジ
７  ボルト孔
８  原料ガス導入口
９  生成物導出口
１０  冷却水入口
１１  冷却水出口
１２  メタノール回収部（気液分離・貯留槽）
１３  液状メタノール
１４  未反応ガス＋気相メタノール出口
１５  冷却水入口
１６  冷却水出口
１７  液状メタノール抽出口
１８  冷却ジャケット
１９  シール材
２２  孔
２３  トレイ
【図１】
2005298413.tif 000006
【図２】
2005298413.tif 000007
【図３】
2005298413.tif 000008
【図４】
2005298413.tif 000009
【図５】
2005298413.tif 000010